(57)【要約】  【課題】  読取位置の領域で干渉縞の発生を防ぎながら読取動作を行うことができ、装置の大型化を招くことなくスキャナ画像やコピー画像における干渉縞の発生を防止できる画像読取装置を提供する。  【解決手段】    プラテンガラス１上の読取位置Ｂを含む領域で該プラテンガラスに沿って配置された透明シート７と、搬送手段により透明シート上面に沿って搬送される原稿を透明シートを介してプラテンガラスに押さえる押さえ部材３ｆとを有する。押さえ部材で原稿を押さえる位置は読取位置より搬送方向上流側に選定される。押さえ部材は、読取位置で、押さえ部材と透明シートとの間並びに透明シートとプラテンガラスとの間のそれぞれに隙間を生じさせる。【選択図】  図３
2007221646.tif 000002
【特許請求の範囲】
【請求項１】
プラテンガラス上に載置された原稿を読取手段を移動させながら読み取る第１の読取モードと、搬送手段により前記プラテンガラス上を搬送される原稿を読取位置に停止させた前記読取手段により読み取る第２の読取モードとを有する画像読取装置において、
前記プラテンガラス上の前記読取位置を含む領域で該プラテンガラスに沿って配置された透明シートと、前記搬送手段により前記透明シート上面に沿って搬送される原稿を前記読取位置よりも搬送方向上流側で該透明シートを介して前記プラテンガラスに押さえる押さえ部材と、を備え、
該押さえ部材は、前記読取位置で、前記押さえ部材と前記透明シートとの間並びに前記透明シートと前記プラテンガラスとの間のそれぞれに隙間を生じさせることを特徴とする画像読取装置。
【請求項２】
前記透明シートは、前記プラテンガラスとの間に隙間を生じる姿勢で前記本体に取り付けられることを特徴とする請求項１に記載の画像読取装置。
【請求項３】
前記搬送手段は、前記読取位置の前記透明シートの両側で前記プラテンガラス上に直接当接する位置決め部材により、該プラテンガラスに対する高さを決められることを特徴とする請求項１又は２に記載の画像読取装置。
【請求項４】
前記押さえ部材が前記搬送原稿を介して前記透明シートを押さえたとき、前記読取位置において前記押さえ部材と前記透明シートとの間に隙間が形成されることを特徴とする請求項１〜３のいずれか１項に記載の画像読取装置。
【請求項５】
前記プラテンガラス上の前記読取位置より搬送方向下流側にガイド部材が配置され、前記透明シートは、搬送方向下流側端部が該ガイド部材に乗り上げる姿勢で前記プラテンガラス上に配置されることを特徴とする請求項１〜４のいずれか１項に記載の画像読取装置。
【請求項６】
前記透明シート上を搬送される原稿を、前記ガイド部材により搬送方向下流側に配置された排紙ローラへ案内することを特徴とする請求項５に記載の画像読取装置。
【請求項７】
前記透明シートが前記プラテンガラス上から前記ガイド部材上に乗り上げることで形成される湾曲部の範囲内に前記読取位置が設定されることにより、該読取位置における前記透明シートと前記プラテンガラスとの間の隙間が形成されることを特徴とする請求項５又は６に記載の画像読取装置。
【発明の詳細な説明】
【技術分野】
【０００１】
本発明は、停止した読取手段により搬送原稿を読み取る読取モードを有する画像読取装置に関する。
【背景技術】
【０００２】
近年、原稿の画像を読み取る画像読取装置にあっては、静止原稿を読み取る第１の読取モードと搬送手段により搬送される搬送原稿を読み取る第２の読取モードを有するものが使用されている。また、静止原稿にしても、シート状の原稿だけでなく、書籍等の厚みのある原稿も読み取り可能な読取モードを有する画像読取装置が提案されている。このような画像読取装置は、例えば特許文献１、特許文献２、特許文献３、特許文献４及び特許文献５などに開示されている。これらの画像読取装置では、後述する透明なフィルムからなるスクレイパーシートが使用されている。
【０００３】
図６は従来の画像読取装置の縦断面図である。図６において、書籍等の厚みのある原稿を読み取るときには、プラテンガラス５１上に載置した原稿を圧板５２で密着させ、原稿が静止した状態で読取ユニット５３を矢印ａ方向に走査しながら画像を読み取るように構成されている。また、シート状の原稿を読み取るときには、読取ユニット５３を図６に示すような読取位置に停止させた状態で、原稿を搬送ユニット５４により原稿パス（矢印ｂ方向）に沿って搬送しながら、画像を読み取っていく。
【０００４】
静止した読取ユニット５３で原稿を読み取る読取位置には、透明なフィルムからなるスクレイパーシート５５が配設されている。スクレイパーシートは搬送方向一端部で接着剤等により搬送ユニット５４の一部に固着され、スクレイパーシートの搬送方向他端部は圧板５２の上に載せられている。スクレイパーシート５５は、読み取る際の白レベルの基準となる不図示の白色シートが接着された押さえ板５６の対向位置に、不図示のばねにより、押さえ板５６を介して押し付けられている。また、スクレイパーシートの一部は、図６に示すように、圧板５４を閉じたときにプラテンガラス５１に押圧されて接触している。
【０００５】
このスクレイパーシート５５は、読み取りの際の白レベル基準となる不図示の白色シートが、接着された押さえ板５６の対向位置に、不図示のばねにより押さえ板金５６を介して押圧されている。これにより、スクレイパーシートは、圧板５４を閉じたとき、図示のようにプラテンガラス５１に押圧されて接触している。スクレイパーシート５５及び押さえ板５６は、読取位置と読取位置の搬送方向前後の部分を含む所定の平面領域に押圧されている。これは、読取位置において確実に原稿をスクレイパーシートを介してプラテンガラス５１に密着させることで、読取位置での原稿浮きによる焦点ずれを発生させないためである。  
【０００６】
さらに、スクレイパーシート５５の通紙方向読取位置周辺で、かつ原稿通紙幅方向の両外側周辺では、搬送ユニット５４のフレームの一部がスクレイパーシートを挟んでプラテンガラス５１に着地している。この着地によって、搬送ユニット５４の高さ方向の位置が決定され、位置出しが行われている。これも、スクレイパーシートが読取位置において浮くことを防ぎ、これにより原稿が浮くことを防止し、結果として読み取りの際の焦点ずれを防ぐためである。また、このような構成は、特に、読取ユニット５３として、レンズの焦点深度が狭い密着型のイメージセンサを使用する場合に必要となる。
【特許文献１】特開平７−２２１９３１号公報
【特許文献２】特開平８−０４６７４２号公報
【特許文献３】特開平８−１８６６８７号公報
【特許文献４】特開昭６２−１７９２７１号公報
【特許文献５】特開昭６３−１８０６５０号公報
【発明の開示】
【発明が解決しようとする課題】
【０００７】
しかしながら、前述の従来の構成では、原稿読み取りの際にスクレイパーシートとプラテンガラスの間で原稿が挟圧されるため、挟圧部周辺で発生する干渉縞（ニュートンリング）が読取位置に発生するという課題があった。このような干渉縞が発生すると、この干渉縞も原稿の画像として読み取ってしまうため、干渉縞がスキャナ画像あるいはコピー画像として現れ、読取画像の画質低下の原因となる。これを解決する方法として、例えば、挟圧される領域を読取位置から遠ざけて配置することが考えられる。しかし、このような方法では、装置全体の大型化の傾向が強くなり、現実的ではなかった。
【０００８】
本発明はこのような技術的課題に鑑みてなされたものである。本発明の目的は、読取位置の領域で干渉縞の発生を防ぎながら読取動作を行うことができ、装置の大型化を招くことなくスキャナ画像やコピー画像における干渉縞の発生を防止できる画像読取装置を提供することである。
【課題を解決するための手段】
【０００９】
本発明に係る画像読取装置は、第１の読取モードと第２の読取モードを有する。第１の読取モードは、プラテンガラス上に載置された原稿を読取手段を移動させながら読み取る読取モードである。第２の読取モードは、搬送手段によりプラテンガラス上を搬送される原稿を読取位置に停止させた読取手段により読み取る読取モードである。本発明による画像読取装置は、プラテンガラス上の読取位置を含む領域で該プラテンガラスに沿って配置された透明シートと、搬送手段により透明シート上面に沿って搬送される原稿を読取位置よりも搬送方向上流側で該透明シートを介してプラテンガラスに押さえる押さえ部材と、を有する。そして、押さえ部材は、読取位置で、押さえ部材と透明シートとの間並びに透明シートとプラテンガラスとの間のそれぞれに隙間を生じさせる。
【発明の効果】
【００１０】
本発明によれば、読取位置の領域で干渉縞の発生を防ぎながら読取動作を行うことができ、装置の大型化を招くことなく、スキャナ画像やコピー画像における干渉縞の発生を防止できる画像読取装置が提供される。
【発明を実施するための最良の形態】
【００１１】
以下、図面を参照して本発明の実施形態を具体的に説明する。なお、各図面を通して同一符号は同一又は対応部分を示すものである。図１は本発明を適用した画像読取装置の一実施形態の縦断面図である。図１において、本実施形態に係る画像読取装置は、２種類の読取モードを有している。すなわち、プラテンガラス１上に載置されて圧板２で密着された原稿の画像を読み取る第１の読取モードと、ローラ等からなる搬送手段３によって搬送される原稿の画像を読み取る第２の読取モードとを有している。４は原稿の画像を読み取るための読取手段である。
【００１２】
読取手段４は、原稿の画像面に入射光を入射する照明手段４ａと、原稿の画像面からの反射光が通過するロッド型レンズ４ｂと、レンズ４ｂの直下に配置され反射光を結像させるイメージセンサ４ｃとにより構成されている。第１の読取モードのときに静止原稿の画像を読み取る際は、読取手段４で矢印ａ方向に走査しつつ読み取りを行い、第２の読取モードのときに搬送原稿（移動原稿）の画像を読み取る際は、読取位置Ｂに停止して読み取りを行う。３は、原稿を搬送路（矢印ｂ方向）に沿って搬送するための搬送手段である。
【００１３】
搬送手段３は、複数枚のシート状の原稿をセット（積載）可能な原稿台３ａと、原稿台３ａ上にセットされた原稿を下流側へ送り出す給送ローラ３ｂと、を備えている。また、搬送手段３は、送り出された原稿を１枚ずつに分離する分離ローラ３ｃ及び分離片３ｄからなる分離部と、１枚ずつに分離された原稿を読取位置Ｂへ搬送する搬送ローラ対３ｅと、を備えている。さらに、搬送手段３は、読取位置Ｂ周辺での原稿の浮き位置を規制する押さえ部材としての押さえ板３ｆと、読取位置Ｂを通過した原稿を搬送し排出する排出ローラ対３ｇと、を備えている。押さえ板３ｆには、原稿の画像を読み取る際に白レベルの基準となる白色シートが接着されている。また、給送ローラ３ｂ、搬送ローラ対３ｅ及び排出ローラ３ｇの間には、シート状の原稿を案内するガイド部材が配置されており、これらのガイド部材により原稿搬送路（矢印ｂ方向）が形成されている。
【００１４】
プラテンガラス１は、厚みのある書籍等の原稿（シート状の原稿でも良い）などを静止させた状態で読み取るために原稿を載置するものであり、本体フレーム５に支持されている。圧板２は、プラテンガラス１上に載置された原稿をプラテンガラス１に密着させるものであり、押さえ板３ｆを含む搬送手段３と共に一体的に構成され、第１のユニットとしてのＤＦ（原稿給送）ユニット６を形成している。本体フレーム５には、プラテンガラス１の他に読取手段４やスクレーパーシート７などが一体的に組み込まれ、これらの組み込み部品により第２のユニットが構成されている。スクレーパーシート７は、後述するような透明なフィルム部材で形成されている。第１のユニット６と本体（本体フレーム５）との間にはヒンジ等の回転中心が設けられ、第１のユニットとしてのＤＦユニット６は、第２のユニットをなす本体フレーム５に対して所定角度だけ揺動可能である。すなわち、書籍等の厚みのある原稿の画像を読み取るときには、使用者がＤＦユニット６を開いてプラテンガラス１の上面に原稿を載置する構成となっている。
【００１５】
図２は図１の画像読取装置の読取部を上方から見た部分斜視図である。図３は本発明による画像読取装置の一実施形態における読取部を拡大して示す部分縦断面図である。図４は図３の読取部の要部を示す部分縦断面図である。図５は図３の読取部の読取位置近傍を範囲を限って示す部分縦断面図である。図１〜図５において、７は透明シートである。この透明シート７は、透明なフィルム部材で形成され、記録位置における搬送原稿を案内するスクレイパーシートとして機能するものである。透明シート７は、搬送ローラ対３ｅによって読取位置Ｂに搬送されたシート状の原稿Ｇを、読取位置Ｂから下流側の排出ローラ対３ｇへ案内するものである。透明シート７は、ポリプロピレン、ポリエステル、ＰＥＴ等の透明なプラスチック材料で形成され、本実施形態では、厚さが約０．１１ｍｍ程度のＰＥＴで形成されている。
【００１６】
透明シート７は、読取位置Ｂよりも原稿搬送方向上流側の位置で、押さえ板３ｆによって上方から付勢されることでプラテンガラス１に押し付けられている。プラテンガラス１に押し付けられる位置は、読取位置Ｂよりも搬送方向上流側へ３ｍｍ〜５ｍｍ程度の位置に選定されている。この値は、本体装置の大きさを小型化させるために、例えば３ｍｍ程度の距離が採用される。透明シート７は、読取位置Ｂで、プラテンガラス１との間に隙間Δｘをもって配設されている。また、透明シートは、読取位置Ｂで、押さえ板３ｆとの間には隙間Δｙをもって配設されている。透明シート７とプラテンガラス１との間に隙間Δｘを設ける理由は、読取位置Ｂにおいて透明シートがプラテンガラス１にある加重で圧着付勢された場合に、ニュートンリングと呼ばれる干渉縞が発生することを防ぐためである。また、透明シート７と押さえ板３ｆとの間に隙間Δｙを設ける理由は、原稿Ｇの裏面の汚れ等が押さえ板３ｆ（特にその白色シート）に付着しないようにするためである。
【００１７】
図２において、透明シート７の読取位置Ｂの主走査方向両外側の領域Ｈ１、Ｈ２の近傍には、搬送手段３のプラテンガラス１に対する高さ方向位置決め部材（不図示）が設けられている。これにより、搬送手段３をプラテンガラス１上に直接着地させたときの読取手段との高さが決められる。透明シート７は透明なプラスチック材料で形成されている。ただし、プラスチック材料はガラスと比べて軟らかく傷が付き易い。このため、透明シート７に、傷の発生を防ぐためのハードコーティング処理を施すことが好ましい。
【００１８】
図２〜図４において、８は透明シート７を介してプラテンガラス１を本体フレーム５に押し付けるための押さえ板であり、この押さえ板８はビス９又はスナップフィット等により本体（本体フレーム５）に固定されている。透明シートは、その上流側端部分７ａで接着剤やフック形状等により押さえ板８に固着されている。スクレイパーシートである透明シート７は、原稿の連続通紙（連続搬送）等により傷が生じたり、変形したりした場合、あるいは使用者が不用意に変形させてしまったような場合には交換する必要がある。このため、透明シートは取り外し可能となっている。つまり、透明シート７と押さえ板８は一体にユニット化されており、透明シートは使用者又はサービスマンに支給するだけでを容易に交換できる。
【００１９】
図１〜図５において、３ｈは搬送手段３の一部をなすガイド部材である。ガイド部材３ｈの一部に傾斜面３ｉが設けられている。搬送ローラ対３ｅによって搬送される原稿Ｇの先端は、傾斜面３ｉによって、プラテンガラス１面上にある透明シート７の上面に導かれる。１０は透明シート７から離れた原稿を下流側の排出ローラ対３ｇへ案内するガイド部材としてのガイド板である。このガイド板１０は、本体フレーム５の一部で形成しても良く、あるいは別部材としてプラテンガラス１面上に固定しても良い。
【００２０】
透明シート７の下流側端部７ｂは、ガイド板１０の一部に設けられた傾斜面１０ａに乗り上げている。つまり、透明シートは、プラテンガラス１面上からガイド板１０の傾斜面１０ａに橋渡しされている。これにより、プラテンガラス１とガイド板１０との段差部に、透明シートの湾曲部７ｃが形成される。従って、搬送ローラ対３ｇによって透明シート７に搬送された原稿は、湾曲部７ｃに沿って滑らかに搬送され、下流側端部７ｂを通過してガイド部材１０の傾斜面１０ａに導かれる。また、このような構成により、透明シート７は、読取位置Ｂで、プラテンガラス１との間に隙間Δｘをもって配設されている。
【００２１】
図３〜図５において、透明シート７は、前述のように、読取位置Ｂで、押さえ板３ｆとの間に隙間Δｙをもって配設されている。この隙間Δｙを設けるために、押さえ板３ｆは、読取位置Ｂで搬送上流側下向きに傾斜させるとともに、それより搬送方向上流側部分では搬送上流側上向きに傾斜させるように形成されている。そして、このように形成された押さえ板３ｆを、読取位置Ｂの上流側で、透明シート７を介してプラテンガラス１に向けて付勢している。これにより、読取位置Ｂで、上記隙間ΔＹが形成されている。
【００２２】
図１〜図５において、ガイド板１０の一部には指標１０ｂが一体的に形成されている。この指標１０ｂは、プラテンガラス１の上面に原稿をセットする際の原稿サイズ位置表示及び突き当て基準として使用される。これにより、部品点数の増加によるコストアップを防いでいる。圧板２の一部には傾斜面２ａが設けられている。傾斜面２ａの下端部２ｂの位置は、ガイド板１０の上面１０ｃよりも低くなっている。これにより、透明シート（スクレイパーシート）７を離れた原稿Ｇは、その先端が引っ掛かることなく、ガイド部材１０の傾斜面１０ａから圧板２の傾斜面２ａへ導かれる。そして、原稿は圧板２の傾斜面２ａに沿って排出ローラ対３ｇへ導かれる。
【００２３】
次に、以上説明した画像読取装置による読取動作について説明する。図１〜図５において、先ず第１の読取モードのときには、書籍等の厚みのある原稿（或いはシート状の原稿で良い）をプラテンガラス１上にセットした後、圧板２でプラテンガラス１面上に密着させる。このように原稿を静止させた状態で、不図示の駆動手段からの駆動力伝達により、読取手段４を矢印ａ方向に移動させて画像を読み取る。すなわち、矢印ａ方向に移動する照明手段４ａによって静止原稿の画像面にプラテンガラスを通して光を照射し、その反射光（画像光）をプラテンガラス１及びレンズ４ｂを通してイメージセンサ４ｃに結像させる。
【００２４】
一方、第２の読取モードのときには、先ず、読取手段４を、搬送手段３の搬送路中の読取位置Ｂに固定する。この状態で搬送手段３により原稿Ｇを矢印ｂ方向に搬送路に沿って搬送し、読取位置Ｂに固定された読取手段４により画像を読み取る。すなわち、透明シート７とプラテンガラス１との隙間Δｘ及び透明シート７と押さえ部材３ｆとの間の隙間Δｙの合計隙間（Δｘ＋Δｙ）の範囲内において、照明手段４ａによって原稿の画像面に光を照射する。そして、その反射光（画像光）を透明シート７、プラテンガラス１及びレンズ４ｂを通してイメージセンサ４ｃに結像させる。
【００２５】
次に、第２の読取モードにおける読取位置Ｂでのシート状原稿の搬送動作について説明する。搬送手段３により搬送される原稿は、ガイド部材３ｈの傾斜面３ｉにより読取位置Ｂの透明シート７の上面に導かれる。ガイド部材３ｈの傾斜面３ｉは、原稿の先端が透明シート７の上面に着地したとき、原稿が挫屈しないで滑らかに着地するような傾斜角に設定されている。読取位置Ｂに搬送された原稿は、前述のようにして画像を読み取られ、隙間Δｙを通過し、透明シートの湾曲部７ｃの曲面に沿って下流側へ案内される。この際、透明シートの湾曲部７ｃは滑らかな曲面を有するため、プラテンガラス１とガイド部材１０との僅かな段差に原稿先端が引っ掛かることなく滑らかに案内される。
【００２６】
透明シート７を離れた原稿は、その先端がガイド板１０の傾斜面１０ａに案内され、さらにガイド板１０の傾斜面１０ａから圧板２の傾斜面２ａｂに案内される。ここで、透明シート７の下流側端部７ｂはガイド板１０の傾斜面１０ａに乗り上げており、また、ガイド板１０の上面１０ｃは圧板２の下端部２ｂよりも高い位置にある。このため、原稿の先端は引っ掛かることなく滑らかに案内され、下流側の排出ローラ３ｇへ導かれる。以上のように、本実施形態によれば、第２の読取モードのときに、搬送ローラ対３ｅによって読取位置Ｂに搬送されたシート状の原稿を、読取位置Ｂから排出ローラ対３ｇへ滑らかに搬送することができる。
【００２７】
以上説明した画像読取装置には２つの読取モードが設けられている。第１の読取モードは、プラテンガラス１上に載置された原稿を、本体（本体フレーム５）内に設けられた読取手段４を移動させながら読み取る読取モードである。第２の読取モードは、搬送手段３によりプラテンガラス上を搬送される原稿を、読取位置Ｂに停止させた読取手段４により読み取る読取モードである。そこで、プラテンガラス上の読取位置Ｂを含む領域で該プラテンガラスに沿って配置された透明シート７が設けられている。また、搬送手段により透明シート７上面に沿って搬送される原稿を該透明シートを介してプラテンガラス１に押さえる押さえ部材３ｆが設けられている。
【００２８】
そして、押さえ部材３ｆで原稿を押さえる位置は読取位置Ｂよりも搬送方向上流側に選定される。これとともに、押さえ部材３ｆは、読取位置Ｂで、押さえ部材と透明シートとの間並びに透明シートとプラテンガラスとの間のそれぞれに隙間Δｙ、Δｘを生じさせる。このような構成により、原稿を読み取るときの高さを安定させることができ、読取位置の領域で干渉縞の発生を防ぎながら読取動作を行うことができ、装置の大型化を招くことなく、スキャナ画像やコピー画像における干渉縞の発生を防止できる。
【００２９】
また、以上の実施形態では、原稿の搬送手段の高さ位置を、搬送手段の一部である高さ方向位置決め部材（不図示）を原稿の紙幅（読み取り幅）両外側の最近傍で、プラテンガラス１上に直接着地させて位置決めしている。このため、搬送手段３の高さ位置の精度を向上させるとともに装置奥行き方向の寸法を低減して装置の小型化を図ることができる。  また、読取位置Ｂの搬送方向下流側にガイド部材１０を配置し、透明シート７の下流側端部をプラテンガラス１より高い位置に乗り上げさせている。このため、読取位置において、透明シートとプラテンガラスとの高さ方向に所定の隙間を安定した状態で設けることができる。従って、読取位置におけるニュートンリングの発生を防ぐとともに、押さえ部材に設けられた白レベルの基準となる白色シートなどが原稿の裏面の汚れによって汚されることを防止できる。これにより、安定した高画質の読取画像を形成することができる。
【００３０】
なお、本発明による画像読取装置は、複写機やファクシミリ装置等の画像形成装置の読取系（画像読取装置）にも同様に適用することができ、上述と同様の作用効果が得られる。
【図面の簡単な説明】
【００３１】
【図１】本発明を適用した画像読取装置の一実施形態の縦断面図である。
【図２】図１の画像読取装置の読取部を上方から見た部分斜視図である。
【図３】本発明による画像読取装置の一実施形態における読取部を拡大して示す部分縦断面図である。
【図４】図３の読取部の要部を示す部分縦断面図である。
【図５】図３の読取部の読取位置近傍を範囲を限って示す部分縦断面図である。
【図６】従来の画像読取装置の縦断面図である。
【符号の説明】
【００３２】
１      プラテンガラス
２      圧板
２ａ    傾斜面
２ｂ    下端部
３      搬送手段
３ａ    原稿台
３ｂ    給送ローラ
３ｅ    搬送ローラ対
３ｆ    押さえ部材（押さえ板）
３ｇ    排出ローラ
３ｈ    ガイド部材
３ｉ    傾斜面
４      読取手段
４ａ    照明手段
４ｂ    レンズ
４ｃ    イメージセンサ
５      本体（本体フレーム）
６      ＤＦユニット（原稿給送ユニット、第１のユニット）
７      透明シート（スクレイパーシート、透明なプラスチック材）
７ａ    透明シートの搬送方向上流側端部
７ｂ    透明シートの搬送方向下流側端部
７ｃ    透明シートの湾曲部
１０    ガイド部材（ガイド板）
１０ａ  ガイド部材の傾斜面
１０ｂ  指標
１０ｃ  ガイド部材の上面
Δｘ    透明シートとプラテンガラスとの間の隙間
Δｙ    透明シートと押さえ部材３ｆとの間の隙間
【図１】
2007221646.tif 000003
【図２】
2007221646.tif 000004
【図３】
2007221646.tif 000005
【図４】
2007221646.tif 000006
【図５】
2007221646.tif 000007
【図６】
2007221646.tif 000008